(57)【特許請求の範囲】
【請求項１】
機械ケーシング（１１）と、該機械ケーシング内に支承されたモータ（１３）と、かつ／又はギヤボックス（２５）と、前記機械ケーシング内部で前記モータ（１３）を介して駆動されて上下運動可能にガイドされるストローク棒（６６）とを備え、該ストローク棒がその下端部に、着脱可能に装着するためのチャックスリーブを有するチャック装置（１２）によって保持された鋸刃（６８）を有し、前記ストローク棒（６６）の下端部近傍にローラ付きレバー（４５）が送り方向に旋回可能に支承されており、かつ前記モータ（１３）によって回転駆動可能な偏心輪（３６）と、該偏心輪によって旋回可能なフォークレバー（３５）とを介して揺振駆動可能であり、チャックされた前記鋸刃（６８）の背（７０）が、前記ローラ付きレバー（４５）の振子ローラ（４４）に沿って支持され、しかも該振子ローラの環状溝内に係合しつつガイドされる形式の、手動操縦式の回し引き鋸盤において、ローラ付きレバー（４５）とフォークレバー（３５）とが、ギヤボックス（２５）のギヤボックス壁によって互いに分離されていて、フォークレバー（３５）が、ギヤボックス（２５）の内部に配置されており、ローラ付きレバー（４５）が、ギヤボックス（２５）の外部に配置されており、フォークレバー（３５）によって鉛直方向でピストン状に往復駆動されかつ機械ケーシング（１１）に対して封隙されて長手方向にガイドされるプランジャピン（５１）が、フォークレバー（３５）とローラ付きレバー（４５）との間で振子運動を伝達し、ローラ付きレバー（４５）を揺振駆動することを特徴とする、手動操縦式の回し引き鋸盤。
【請求項２】
フォークレバー（３５）が偏心輪（３６）を、リング状に閉じて取り囲んでいる、請求項１記載の回し引き鋸盤。
【請求項３】
ローラ付きレバー（４５）の振子運動平面に対して直角な方向に振子駆動可能なフォークレバー（３５）が、プランジャピン（５１）の上端部に支持されて該プランジャピン（５１）を鉛直方向に駆動する１つの突起（３５／３）を有している、請求項１記載の回し引き鋸盤。
【請求項４】
フォークレバー（３５）が単腕状に形成されており、かつ１つの旋回支点（３５／２）並びに１つの長穴状切欠部（３５／１）を有し、該長穴状切欠部によって前記フォークレバー（３５）が、ストローク棒（６６）の鋸引きストロークのための駆動歯車（３３）の偏心輪（３６）を滑りガイドリングブロック状に包囲していて前記偏心輪（３６）の円運動によって振子運動を行い、しかも前記フォークレバーが前記振子運動をその自由端部によってプランジャピン（５１）を介してローラ付きレバー（４５）に伝達する、請求項３記載の回し引き鋸盤。
【請求項５】
フォークレバー（３５）が、偏心輪（３６）から離間した方の側と旋回支点（３５／２）との間に、自由端部としてプランジャピン（５１）に支持可能な、アーチ状凸設部の形の突起（３５／３）を有している、請求項１から４までのいずれか１項記載の回し引き鋸盤。
【請求項６】
フォークレバー（３５）が、その振子運動時に駆動軸（１５）を接触せずに取り囲む切欠部（３５／４）を有している、請求項１から５までのいずれか１項記載の回し引き鋸盤。
【請求項７】
フォークレバー（３５）もローラ付きレバー（４５）も、前記機械ケーシング（１１）もしくはギヤボックス（２５）を貫通していない、請求項１から６までのいずれか１項記載の回し引き鋸盤。
【請求項８】
ストローク棒（６６）が、該ストローク棒（６６）に対して直角な方向に揺振可能に支承されていて２つの支持脚片（６２／２）と一体に結合された軸受台状の単一の支持ブラケット（６２）内に、軸受ブシュ（６２／１）を介して案内可能に支承されていると共に、前記両支持脚片（６２／２）に沿って捩れ不能に確保されている、請求項１から７までのいずれか１項記載の回し引き鋸盤。
【請求項９】
ストローク棒（６６）が、該ストローク棒の軸線に対して直角な横方向に配置された滑子（６７）に溶接継手によって分離不能に剛性結合されており、前記滑子によってストローク棒（６６）が両支持脚片（６２／２）に支持されている、請求項８記載の回し引き鋸盤。
【請求項１０】
ストローク棒（６６）が、細長い滑子（６７）の肩状の両外端部でもって両支持脚片（６２／２）に支持されている、請求項９記載の回し引き鋸盤。
【発明の詳細な説明】
【０００１】
【発明の属する技術分野】
本発明は、請求項１に発明の上位概念として記載したように、機械ケーシングと、該機械ケーシング内に支承されたモータと、前記機械ケーシング内部で殊に前記モータを介して駆動されて上下運動可能にガイドされるストローク棒とを備え、該ストローク棒がその下端部に、特に着脱可能に装着するためのチャックスリーブを有するチャック装置によって保持された鋸刃を有し、前記ストローク棒の下端部近傍にローラ付きレバーが送り方向に旋回可能に支承されており、かつ殊に前記モータによって回転駆動可能な偏心輪と、該偏心輪によって旋回可能なフォークレバーとを介して揺振駆動可能であり、チャックされた前記鋸刃の背が、前記ローラ付きレバーの振子ローラに沿って支持され、しかも特に該振子ローラの環状溝内に係合しつつガイドされる形式の、手動操縦式の回し引き鋸盤に関する。
【０００２】
【従来の技術】
鉛直方向の往復運動に加えて、鉛直方向の鋸引き運動を重畳させる水平方向の振子運動が与えられる鋸刃を有する、手動操縦式の回し引き鋸盤は公知である。
【０００３】
前記振子運動は、振子機構によって鋸刃に伝達され、その場合例えば偏心輪運動が、回転駆動されて鋸引き運動を発生させる偏心輪付き歯車の偏心輪から、該偏心輪に係合するための開いたフォークを有するフォークレバーに伝達される。その際に前記偏心輪は、旋回可能に支承されたフォークレバーの滑りガイド開口内に係合して、該フォークレバーに往復旋回運動を与える。
【０００４】
前記フォークレバーは、その往復旋回する端部がギヤボックスの内室から突出しており、かつ該端部でもって二腕式のローラ付きレバーの一方の腕に直接支持されており、該ローラ付きレバー自体は前記フォークレバーの旋回平面に対して直角な方向に旋回可能に支承されている。前記ローラ付きレバーの他方の腕に回転自在に軸支された支持ローラつまり振子ローラを介してローラ付きレバーは、鋸刃（鋸身とも呼ばれる）の背に当接して支持されて振子運動を該鋸刃に伝達する。
【０００５】
公知技術ではフォークレバーの一端が揺振しつつギヤボックスの内室から出たり入ったりすることに基づいて、比較的大きな通過ギャップは、ダスト侵入及び潤滑剤流出を防止すめために経費をかけて弾性的に封隙されねばならない。それのみならずフォークレバーからローラ付きレバーに横方向力が伝達されて、ローラ付きレバーに不都合な横振れを惹起し、該ローラ付きレバーの振子ローラを振子運動平面から外れて運動させることになる。これによって鋸刃が、送り方向もしくは振子運動方向に対して直角な横方向に偏位されたり振動したりする虞れが生じ、その結果、鋸引き精度及び鋸引き効率が著しく低下されることになる。
【０００６】
更に公知の回し引き鋸盤では、振子支承されたストローク棒の上部軸受装置は２部分から構成されている。すなわち：ストローク棒の上部軸受装置の第１の部分は、ストローク棒と共に該ストローク棒の振子運動ストロークに追従できるようにするために、滑り軸受ブシュを有している。別個の部分には支持ブラケットが設けられている。曲線鋸引き時に発生するところの、鋸刃を介してストローク棒に伝達されたトルクを吸収し該ストローク棒の捩れを防止し、ひいては曲線鋸引き時に一定精度の曲げ剛さをもって鋸刃を支承するために、ストローク棒と相対回動不能に結合された滑子が両サイド肩で捩れ不能に前記支持ブラケットに支持されている。
【０００７】
【発明が解決しようとする課題】
本発明の課題は、外部に対するギヤハウジングの封隙を改善し、鋸刃による曲線鋸引き時にストローク棒に導入されるトルクを吸収するのに適したギヤハウジングを構成すると共に、振子運動ストロークを横方向力なしに鋸刃に伝達可能にして、鋸刃の横振れを確実に排除し、鋸引き効率を改善しかつ鋸刃摩耗を低下させることである。
【０００８】
【課題を解決するための手段】
前記課題を解決するための本発明の構成手段は、請求項１の特徴部に記載したように、フォークレバーによって鉛直方向でピストン状に往復駆動されかつ機械ケーシングに対して封隙されて長手方向にガイドされるプランジャピンが、フォークレバーとローラ付きレバーとの間で振子運動を伝達し、ローラ付きレバーを揺振駆動する点にある。
【０００９】
【発明の効果】
振子運動を横振れなく伝達することによって、金属を鋸引きする際の鋸刃折損のリスクが低下される。
【００１０】
フォークレバーとローラ付きレバーとの間に、軸方向にシフト可能なプランジャピンを配置し、しかも前記フォークレバーを、機械ケーシングを貫通させることなく該機械ケーシングの内部に配置し、また前記ローラ付きレバーを機械ケーシングの外部に配置したことによって、ギヤボックスの封隙が特に単純化されかつ効果的になり、つまり、従来著しく経費をかけてきた封隙が簡単になる。それというのは、ギヤボックスの内室に対しては、ピストン状に往復運動する小さなプランジャピンだけがシールされればよく、従来のように振子運動部材をシールする必要はなくなるからである。
【００１１】
フォークレバーが偏心輪を、二又状に開いてではなくて、滑りガイドリングブロック状に閉じて取り囲んでいることによって、比較的僅かな材料経費でフォークレバーの強度が得られ、かつ偏心輪の偏心的な回転運動の、振子運動への変換が特に恒常的かつ安定的に確保される。
【００１２】
特にローラ付きレバーの振子運動平面に対して直角な方向に振子駆動可能なフォークレバーが、偏心輪から離間した方の側と旋回支点との間に、殊に自由端部に１つの突起を有し、該突起がプランジャピンに、特にその上端に、支持されて、これによって該プランジャピンを往復駆動することによって、フォークレバーの振子運動は、部分的に滑動しつつプランジャピンにトラブルなく伝達することが可能になる。
【００１３】
フォークレバーが単腕状に形成されており、かつ１つの旋回支点並びに１つの長穴状切欠部を有し、該長穴状切欠部によって前記フォークレバーが、ストローク棒の鋸引きストロークのための駆動歯車の偏心輪を滑りガイドリングブロック状に包囲しかつ前記偏心輪の円運動を振子運動に変換し、しかも前記フォークレバーが前記振子運動をその外周の１つのエッジによってプランジャピンを介してローラ付きレバーに伝達するように構成することによって、フォークレバーは格別小さくかつ軽量に設計することが可能になる。
【００１４】
フォークレバーが、殊にその振子運動時に駆動軸を接触せずに取り囲む切欠部を有していることによって、該フォークレバーは一層軽量にすることができ、かつスペースを節減してギヤハウジングの内部に収納することが可能になる。
【００１５】
ストローク棒が、該ストローク棒の軸線に対して直角な横方向に配置された滑子に特に溶接継手によって分離不能に剛性結合されており、前記滑子によって、特に該滑子の肩状の両外端部によって、ストローク棒が両支持脚片に支持されていることによって、ストローク棒の捩れを特に効果的に、かつ機械ケーシングに対する反作用なしに防止することが可能になる。
【００１６】
ストローク棒が、２つの支持脚片と一体に結合された単一の支持ブラケットに沿ってガイドされており、かつ後方ではストローク棒の滑子でもって前記両支持脚片に沿って捩れ不能に支持されることによって、捩れ振動のない精密な曲線鋸引きが可能になる。それというのはストローク棒、ひいては鋸刃が回し引き鋸盤に対して極度に僅かしか回動できないからである。
【００１７】
機械ケーシング内に揺れ腕状に支承された支持ブラケットが、単一の打抜き曲げ成形部品から一体に製作されていることによって、該支持ブラケットは格別低廉に製作でき、かつこれまでは少なくとも２つ必要とした複数の別個の部品の機能を果たすばかりでなく、更に又、ギヤハウジング室の内部端壁に対する支持ブラケットもしくはその支持脚片のばね支持によって、ストローク棒の振子戻りストロークが得られる。
【００１８】
【発明の実施の形態】
次に図面に基づいて本発明の実施例を詳説する。
【００１９】
図１に縦断面図で示した手動操縦式の回し引き鋸盤１０の機械ケーシング１１は、モータ１３を支持すると共にギヤボックス２５内では伝動装置１４を支持している。該伝動装置１４はモータ１３の回転運動を、ストローク棒６６及び、該ストローク棒の下端部にチャックされた鋸刃６８に伝達する。機械ケーシング１１は、図示を省いた工作物に回し引き鋸盤１０を確実に載置して案内するために、角度調節可能に底板１７上に配置されている。
【００２０】
前記モータ１３は、駆動軸１５として働くモータ軸を有し、該駆動軸は軸受１６を介して機械ケーシング１１内に回転可能に軸支されている。駆動軸１５は駆動ピニオン１８で終わり、該駆動ピニオンは、ギヤボックス２５内の軸３４を中心として回転可能に支承された平歯車３３と噛合っている。
【００２１】
前記平歯車３３は、モータ１３に対面した方の端面側に、カラーとして形成された偏心輪３６を有し、該偏心輪はフォークレバー３５の長穴状切欠部３５／１（図５参照）内に係合してガイドされる。
【００２２】
前記平歯車３３は、モータ１３から離反した方の前部端面側に、偏心配置されたクランク３７を支持しており、該クランクは、特に相対回動不能にストローク棒６６と固着結合された長穴状の滑子６７内に係合して平歯車３３の回転運動をストローク棒６６の鉛直方向往復運動に変換する。
【００２３】
前記ストローク棒６６は、軸受ブッシュ６２／１を有する上方の支持ブラケット６２（図７参照）を介してギヤボックス２５内に長手方向で上下移動可能に支承されている。該支持ブラケット６２は、底板１７に対して平行に、かつ機械ケーシング１１の長手方向軸線１１／２に対して直角に支承されたピン６４を中心として旋回運動可能に、回し引き鋸盤１０のギヤハウジング６０内に支承されている。該ピン６４は、ストローク棒６６と一緒に鋸刃６８を振子運動させるための旋回支点を形成している。
【００２４】
支持ブラケット６２は、軸受ブシュ６２／１の中心点に対して対称的に、かつ機械ケーシング１１の長手方向軸線１１／２に対して直角に下方に向かって延びる２つの支持脚片６２／２を有し（図２、図７及び図８参照）、各支持脚片のペグ状センタリング突起６２／５とギヤボックス２５の内側端壁との間には、夫々１つの押圧ばね６２／４が支持されており、かつ該押圧ばねは、支持ブラケット６２を揺れ腕状にストローク棒６６と一緒にピン６４の軸線を中心として後方へ向かって押圧するように予荷重をかけられている。これによって、送り方向の振子運動ストロークが経過する毎に前記押圧ばね６２／４の作用によってストローク棒６６は鋸刃６８と一緒に押し戻され、その際、鋸刃６８の背７０を介してローラ付きレバー４５も同じく後方へ向かって押圧され、この押圧に基づいてプランジャピン５１がフォークレバー３５の突起３５／３に向かって押し上げられ、かつ上向きの振子運動時に該フォークレバー３５又は該フォークレバーの突起３５／３に追従する。
【００２５】
支持脚片６２／２は、機械ケーシング１１の長手方向軸線１１／２に対してやはり直角に延びる滑子６７の両外端部もしくは両肩部を後方から支持脚片に確実に支持するように配置されており、従ってストローク棒６６はその上向・下向運動時に滑子６７でもって支持脚片６２／２に沿って、回動不能にガイドされて摺動する。これによって、回動不能にストローク棒６６を支承するための特に堅牢な支持部が得られ、ひいては、手持ち式回し引き鋸盤１０による曲線鋸引き時に発生しかつ鋸刃６８を介してストローク棒６６に伝達されるトルクを吸収することが可能になる。その場合支持ブラケット６２は、曲線鋸引き時にギヤボックスの捩れを阻止し、ギヤボックスの軽量構造を可能にし、しかも該ギヤボックスの耐用寿命が改善され、更に又、支持ブラケット６２はその支持脚片６２／２を介して振子戻りストロークをストローク棒６６に導入する。
【００２６】
平歯車３３の背面側に設けた偏心輪３６はその円運動を、平歯車３３の回転時に短腕状のフォークレバー３５に伝達するので、該フォークレバーは旋回支点３５／２を中心として揺振し、かつその際に突起３５／３（図５参照）を介してその往復旋回運動をプランジャピン５１に伝達する。該プランジャピン５１は、フォークレバー３５の往復旋回時に該フォークレバーの突起３５／３によって上下運動させられ、該突起は揺振しつつ前記プランジャピン５１の上部端面を摺動する。プランジャピン５１はその下部端面でもってローラ付きレバー４５のアングルレバー腕域４５／１に支持されている。該ローラ付きレバー４５は、旋回支点４５／２を中心として旋回可能にギヤハウジング６０内に支承されており、かつその下端部４５／３に振子ローラ４４を回転自在に軸支している。振子ローラ４４は鋸刃６８の背７０に当接して支持されている。旋回支点４５／２を中心とする旋回運動時にローラ付きレバー４５は鋸刃６８に、機械ケーシング１１の長手方向軸線１１／２に対して平行に経過する振子運動を与える。
【００２７】
鋸刃６８は、ストローク棒６６の下端部においてチャック装置１２内に着脱可能に緊締されている。フォークレバー３５は、その長穴状切欠部３５／１でもって摺動可能に平歯車３３の偏心輪３６に被せ嵌められている。
【００２８】
プランジャピン５１は封隙された状態でギヤハウジング６０から突出し、かつ一端はローラ付きレバー４５に、また他端はフォークレバー３５に接触しているので、フォークレバー３５もローラ付きレバー４５もその振子運動時に共にギヤハウジング６０を貫通する必要はなくなる。これによってプランジャピン５１を通すためのギヤハウジング６０のシール装置は特に単純かつ効果的である。それというのは該シール装置は円筒形であり、かつ適当に小さくすることができるからである。更に又プランジャピン５１は、ローラ付きレバー４５に対して純然たる軸方向運動だけを伝達すればよく、横方向力を伝達することはないので、ローラ付きレバー４５の振子運動は、横振動を伴うことなく特にすっきり整然と行われる。
【００２９】
図２に示した回し引き鋸盤１０の横断面図に基づいてギヤハウジング６０の構成は図１よりも遥かに明確になる。該ギヤハウジング６０は上部域にピン６４を回転可能に有しており、該ピンを中心として支持ブラケット６２はストローク棒６６と一緒に旋回可能である。特に明らかになるように、前記ストローク棒６６に対して対称的に配置された２つの下向きの支持脚片６２／２は、これに支持される滑子６７を有し、該滑子内にはクランク３７が滑りガイドブロック状に嵌入している。
【００３０】
図２に基づいて特に明らかになるのは、ローラ付きレバー４５の構成、鋸刃６８の背７０を支持するために（符号を省いた）中央に環状溝を備えた振子ローラ４４の構成並びに旋回支点４５／２を中心として振子運動を行わせるためのローラ付きレバー４５の旋回軸である。
【００３１】
図３に示した側面図に基づいて明らかなように、ローラ付きレバー４５には、プランジャピン５１の上下運動を受けるための梃子腕を備えた水平なアングルレバー腕域４５／１が設けられており、またローラ付きレバー４５の垂直な下向きのアングルレバー腕域には、旋回支点４５／２としての旋回軸を受容するための孔が穿設されており、前記下向きのアングルレバー域はその下端部４５／３に、振子ローラ４４の軸を支承するための孔（符号を省く）を有している。
【００３２】
図４に断面して示した正面図に基づいて明らかなように、ローラ付きレバー４５の垂直なアングルレバー腕域は双脚状に形成されており、かつ垂直なアングルレバー腕域は打抜き曲げ成形部材として形成することができる。
【００３３】
図５に側面図で示したフォークレバー３５は、平歯車３３の偏心輪３６を取り囲むための長穴状切欠部３５／１と、駆動ピニオン１８を無接触状態で取り囲むための切欠部３５／４と、フォークレバー３５に旋回運動を行わせるための旋回支点３５／２と、プランジャピン５１の上端を押圧して振子運動を往復運動に変換するために前記旋回支点３５／２の近傍に配置された下向きの突起３５／３とを有している。
【００３４】
図６で単独に図示したプランジャピン５１の下端面は凸面状に、また上端面は扁平に形成されている。凸面状端部がローラ付きレバー４５の水平なアングルレバー腕域４５／１上に支持されるのに対して、扁平端部にはフォークレバー３５の突起３５／３が部分的に摺動可能に支持されかつその振子運動によってプランジャピン５１を上下運動させる。プランジャピン５１はその上下運動時にローラ付きレバー４５を、横揺れのない振子運動に変換する。
【００３５】
図７で単独に図示した支持ブラケット６２は、上部域に軸受ブシュ６２／１と、該軸受ブシュに対して両側方に夫々ずらして配置された蹄鉄状部６２／３とを有しており、両蹄鉄状部によって前記支持ブラケット６２はピン６４を内包して振子状に旋回可能である。
【００３６】
図７、図８及び図９に基づいて明らかなように、支持ブラケット６２の支持脚片６２／２は、打抜き曲げ成形部材の下向きに屈曲された曲げ区分を形成しており、該曲げ区分に滑子６７を支持することが可能であり、また該支持ブラケット６２の製作が容易であることも明らかである。
【図面の簡単な説明】
【図１】本発明による回し引き鋸の縦断面図である。
【図２】回し引き鋸のストローク棒領域の横断面図である。
【図３】ローラ付きレバーの側面図である。
【図４】断面して示したローラ付きレバーの正面図である。
【図５】フォークレバーの詳細図である。
【図６】フォークレバーとローラ付きレバーとの間の運動伝達子を形成しているプランジャピンの詳細図である。
【図７】支持ブラケットの正面図である。
【図８】支持ブラケットの側面図である。
【図９】支持ブラケットの平面図である。
【符号の説明】
１０    回し引き鋸盤、  １１    機械ケーシング、  １１／２    長手方向軸線、  １２    チャック装置、  １３    モータ、  １４    伝動装置、  １５    駆動軸、  １６    軸受、  １７    底板、  １８    駆動ピニオン、  ２５    ギヤボックス、  ３３    平歯車、  ３４    軸、  ３５    フォークレバー、  ３５／１    長穴状切欠部、  ３５／２    旋回支点、  ３５／３  突起、  ３５／４    切欠部、  ３６    偏心輪、  ３７    クランク、  ４４    振子ローラ、  ４５    ローラ付きレバー、  ４５／１    水平なアングルレバー腕域、  ４５／２    旋回支点、  ４５／３    下端部、  ５１    プランジャピン、  ６０    ギヤハウジング、  ６２    支持ブラケット、  ６２／１    軸受ブシュ、６２／２    支持脚片、  ６２／３    蹄鉄状部、  ６２／４    押圧ばね、  ６２／５    ペグ状センタリング突起、  ６４    ピン、６６    ストローク棒、  ６７    滑子、  ６８    鋸刃、  ７０    背
【図１】
0004335329.tif 000002
【図２】
0004335329.tif 000003
【図３】
0004335329.tif 000004
【図４】
0004335329.tif 000005
【図５】
0004335329.tif 000006
【図６】
0004335329.tif 000007
【図７】
0004335329.tif 000008
【図８】
0004335329.tif 000009
【図９】
0004335329.tif 000010